(57)【要約】【課題】最小の採寸作業者で、かつ、採寸作業時を簡単にできる採寸支援装置を提供する。【解決手段】採寸作業者はヘッドセット２０のマイク２１に採寸値を入力し、携帯端末３０の記憶部３５に記憶させる。【選択図】      図１
2015035013.tif 000002
【特許請求の範囲】
【請求項１】
建物における予め定められた採寸指示箇所の採寸値を、音声入力するための音声入力部と、
前記採寸指示箇所と前記採寸値を記憶する記憶部と、
を有する採寸支援装置。
【請求項２】
前記建物の画像上に垂直計測基準線、水平計測基準線、前記採寸指示箇所を表示する表示部と、
前記表示された前記垂直計測基準線、又は、前記水平計測基準線から、前記表示され、かつ、採寸作業者によって指示された前記採寸指示箇所までの前記採寸値を、前記音声入力部によって音声入力するための主制御部と、
をさらに有する請求項１に記載の採寸支援装置。
【発明の詳細な説明】
【技術分野】
【０００１】
本発明は、サイディング等の外壁材の割り付けを行う前に、建設現場において建物の実際の採寸を支援する採寸支援装置に関するものである。
【背景技術】
【０００２】
本出願人は、建物の壁面に対応して外壁材を割り付ける場合に、自動的にその割り付けを行うことができる設計支援装置を先に提供した（特許文献１参照）。
【０００３】
この設計支援装置において、割り付けを行う場合には建物の実際の寸法が必要となる。そのため、従来より、割り付けを行う前に、建設現場にできた建物にある窓やドアの実際の位置を建設現場で採寸している。
【先行技術文献】
【特許文献】
【０００４】
【特許文献１】特許第４０４７８３５号公報
【発明の概要】
【発明が解決しようとする課題】
【０００５】
上記のように、建設現場で採寸を行うためには、設計図面と、採寸指示箇所や採寸方法を具体的に記入した採寸指示書を採寸作業者に予め渡し、それに基づいて採寸が行っている。
【０００６】
しかし、このような方法であると、採寸作業者が、採寸指示箇所に対応した採寸値を採寸指示書に筆記具で記載しているため、巻尺で採寸を行う作業者と、採寸を指示し、かつ、書き取る作業者の複数が必要であり、また、その採寸作業が非常に手間であるという問題点があった。
【０００７】
そこで、本発明は上記問題点に鑑み、最小の採寸作業者で採寸作業時を簡単にできる採寸支援装置を提供することを目的とする。
【課題を解決するための手段】
【０００８】
本発明は、建物における予め定められた採寸指示箇所の採寸値を音声入力するための音声入力部と、前記採寸指示箇所と前記採寸値を記憶する記憶部と、を有する採寸支援装置である。
【発明の効果】
【０００９】
本発明によれば、採寸値を音声入力できるため、最小の採寸作業者で採寸作業を簡単にできる。
【図面の簡単な説明】
【００１０】
【図１】本発明の実施形態１の採寸支援装置のブロック図である。
【図２】ヘッドセットの斜視図である。
【図３】携帯端末の斜視図である。
【図４】採寸支援装置のフローチャートである。
【図５】ＨＤＭに表示される建物の画像である。
【図６】実施形態３におけるディスプレイの画像の表示例である。
【発明を実施するための形態】
【００１１】
以下、本発明の一実施形態の採寸支援装置１０について図面に基づいて説明する。
【実施形態１】
【００１２】
実施形態１の採寸支援装置１０について図１〜図５に基づいて説明する。
【００１３】
（１）採寸支援装置１０の構造
採寸支援装置１０の構造について図１〜図３に基づいて説明する。採寸支援装置１０は、ヘッドセット２０と携帯端末３０とより構成されている。
【００１４】
（２）ヘッドセット２０
ヘッドセット２０について説明する。ヘッドセット２０は、図１と図２に示すように、マイク２１、イヤホン２２、ヘッドマウンテンディスプレイ（以下、単に「ＨＭＤ」という）２３、ヘッドセット制御部２４、ヘッドセット通信部２５とより構成されている。このヘッドセット２０は、図２に示すように、ヘッドマウンテンディスプレイ方式であり、人の頭部に取り付けて使うものであって、眼鏡部分２６に、ＨＭＤ２３とヘッドセット制御部２４とヘッドセット通信部２５が設けられている。また、頭にかける取り付け部分２７の耳部にイヤホン２２が設けられ、このイヤホン２２から口許に向かってマイク２１が延びている。
【００１５】
ヘッドセット２０のイヤホン２２からは、採寸指示箇所を示す音声説明データが音声出力される。また、その採寸指示箇所の正確な場所を示すために、図５に示すように、ＨＭＤ２３に、設計図面から作成した建物の画像と、垂直計測基準線Ｖ１、又は、水平計測基準線Ｈ１〜Ｈ３、採寸指示箇所までの矢印Ｓが表示され、採寸作業者が簡単に採寸する位置を把握できる。
【００１６】
一人又は二人の採寸作業者は、巻尺（コンベックス）によって建設現場で建物の採寸を行った後、その採寸値をマイク２１へ音声入力する。この音声入力した採寸値は、ヘッドセット制御部２４で実際の数字にテキスト変換され、ヘッドセット通信部２５を介して携帯端末３０の判定部３８に送られる。なお、マイク２１で音声入力された音が不明確であって、ヘッドセット制御部２４がテキスト変換できない場合には、ヘッドセット制御部２４が再度音声入力を採寸作業者に促す。
【００１７】
（３）携帯端末３０
携帯端末３０について図１と図３に基づいて説明する。この携帯端末３０は、図１と図３に示すように、画面サイズが３インチ〜５インチの画面サイズを有するスマートフォンや６インチ以上のタブレット端末であって、端末制御部３１、端末通信部３２、液晶表示装置よりなるディスプレイ（表示部）３３、入力部であるタッチパネル３４、メモリである記憶部３５を有している。端末制御部３１は、この携帯端末３０を制御するための主制御部３６、ガイド指示部３７、判定部３８を有する。なお、ガイド指示部３７の機能と判定部３８の機能とは、採寸支援アプリケーションのプログラムとして記憶部３６に記憶され、主制御部３６の制御で起動し動作する。
【００１８】
端末通信部３２は、ヘッドセット２０のヘッドセット通信部２５とは通信可能であり、例えばBluetoothなどの無線によってデータの送受信を行う。なお、端末通信部３２とヘッドセット２０とをコードで接続し、有線で通信を行ってもよい。また、端末通信部３２は、インターネット回線、公衆電話回線などを介して外部にあるサーバ４０と通信する。このサーバ４０には、背景技術で説明した特許文献１の設計支援装置が内蔵されている。
【００１９】
記憶部３５は、建物の画像、垂直計測基準線、水平計測基準線、採寸指示箇所毎に理想値、音声説明データを記憶している。
【００２０】
「垂直計測基準線」とは、建物の壁面に垂直方向に引かれた１又は複数の基準線であり、建物の壁には、例えば、墨で直接引かれている。垂直計測基準線としては、図５に示すように、建物の壁における割り付け目地の芯の垂直な線Ｖ１である。また、垂直計測基準線は、ＣＡＤによって製図された設計図面上にも表示されている。
【００２１】
「水平計測基準線」とは、建物の壁面に水平方向に引かれた１又は複数の基準線であり、建物の壁には、例えば、墨で直接引かれている。水平計測基準線としては、図５に示すように、建物の下から一段目のサイディングの上端部の水平な線Ｈ１、１階と２階の境界にある水平な線Ｈ２、軒先下の水平な線Ｈ３である。また、水平計測基準線は、設計図面上にも表されている。
【００２２】
「採寸指示箇所」とは、割り付けに必要な寸法を示した建物の採寸箇所であり、設計図面上に表され、画像上では矢印Ｓ１で表示されている。採寸作業者は、壁面中の所定の箇所から垂直計測基準線、又は、水平計測基準線までの距離（採寸指示箇所を示す矢印で示す距離）を採寸する。なお、この採寸指示箇所とは、垂直計測基準線、又は、水平計測基準線から所定の箇所（ドアの右側部など）までの最短距離（法線距離）を矢印で表す。言い換えると、垂直計測基準線、又は、水平計測基準線を基準とした所定の箇所の座標位置（点の位置）である。
【００２３】
「理想値」とは、設計図面上での採寸指示箇所に対応した理想の寸法である。この理想値は、採寸指示箇所毎に記憶されている。
【００２４】
「音声説明データ」とは、採寸指示箇所をわかりやすく音声で説明するデータであり、例えば、「建物の西立面において、垂直計測基準線Ｖ１からドアの右側部までを採寸して下さい。」、「建物の西立面において、水平計測基準線から左側の窓の下端までを採寸して下さい。」である。この音声説明データは、採寸指示箇所毎に記憶されている。
【００２５】
「建物の画像」とは、設計図面から起こされた建物の四方から見た立面の画像（北立面図、南立面図、東立面図、西立面図）である。この建物の画像には、採寸指示箇所、垂直計測基準線、水平計測基準線が表示されている。例えば、図５の２階建ての建物１の西立面には、垂直計測基準線Ｖ１、水平計測基準線Ｈ１〜Ｈ３、ドア２、窓３，４，５，６が表され、採寸指示箇所としては、垂直計測基準線Ｖ１からドア２の右側部までの矢印Ｓ１、水平計測基準線Ｈ１から窓４の下端部までの矢印Ｓ２が表示されている。
【００２６】
ガイド指示部３７は、記憶部３５に記憶されている採寸指示箇所の音声説明データと建物の画像を端末通信部３２を介してヘッドセット２０に送信する。
【００２７】
判定部３８は、採寸作業者が実際に採寸した採寸値が、理想値を基準にして誤差の範囲か否かを判定する。例えば、垂直計測基準線Ｖ１からドア２の右側部までの距離の理想値が１ｍ１０ｃｍ、採寸値が１ｍ１２ｃｍであれば誤差範囲内として正しく採寸されたものとして判定し、採寸値が１ｍ１６ｃｍであれば採寸ミスとして再度採寸を行うようにヘッドセット２０へ指示する。なお、複数回（例えば、３回）採寸しても採寸値が誤差の範囲内におさまらない場合は、その採寸値と施工ミスである旨を記憶する。
【００２８】
主制御部３６は、判定部３８で誤差の範囲として判断された採寸値を採寸指示箇所に対応させて記憶部３５に記憶する。そして、主制御部３６は、全ての採寸値が記憶された後に、サーバ４０にこれら採寸値を採寸指示箇所と共に送信する。
【００２９】
（４）採寸支援装置１０の動作状態
次に、採寸支援装置１０の動作状態について図４のフローチャートに基づいて説明する。まず、採寸作業者がヘッドセット２０を頭に取り付け、携帯端末３０にインストールされた採寸支援アプリケーションを起動させる。
【００３０】
ステップＳ１において、携帯端末３０のガイド指示部３７が、記憶部３５から最初に採寸を行うための採寸指示箇所に対応した音声説明データと、その採寸指示箇所を示した建物の画像（例えば、図５で示す建物１の画像）を呼び出し、ヘッドセット２０に送信する。ヘッドセット２０では、イヤホン２２から採寸作業者に、その採寸指示箇所を音声説明データで音声指示する。例えば、「垂直計測基準線Ｖ１からドア２の右側部までの距離を採寸して下さい。」である。同時にＨＭＤ２３が、建物１の画像に、垂直計測基準線Ｖ１からドア２の右側部までを矢印Ｓ１で表示する。そしてステップＳ２に進む。
【００３１】
ステップＳ２において、採寸作業者は、音声指示及び画像表示に基づいて、採寸を巻尺で行い、その採寸値をマイク２１で音声入力する。ここで、音声入力された音が数字にテキスト変換できない場合にはヘッドセット制御部２４が採寸値の音声入力を再度促し、テキスト変換ができた場合には携帯端末３０にその採寸値を送信し、ステップＳ３に進む。
【００３２】
ステップＳ３において、判定部３８が、送信された採寸値と、記憶部３５に記憶された理想値とを比較し、誤差が一定値以内か否かを判断する。例えば、垂直計測基準線からドア２の右側部までの距離の理想値が１ｍ１０ｃｍ、採寸値が１ｍ１２ｃｍであれば、誤差が一定値（例えば３ｃｍ）以内であると判断してステップＳ５に進み、誤差が一定値以上であればステップＳ４に進む。
【００３３】
ステップＳ４において、誤差が一定値以上であるため、判定部３８は、ヘッドセット２０のヘッドセット制御部２４に対し、採寸のやり直しを指示する。ヘッドセット制御部２４は、採寸作業者に対しイヤホン２２からの音声指示及びＨＭＤ２３の画像表示によって同じ採寸指示箇所の採寸のやり直しを指示し、ステップＳ２に戻る。
【００３４】
ステップＳ５において、主制御部３６は、採寸値と理想値の誤差が一定値以内であるため、その採寸値が正しいことをヘッドセット２０のＨＭＤ２３と携帯端末３０のディスプレイ３３に表示し、また、その採寸値を記憶部３５に採寸指示箇所と共に記憶しステップＳ６に進む。なお、複数回採寸しても採寸値が誤差の範囲内におさまらない場合は、その採寸値と施工ミスである旨を記憶し、表示する。
【００３５】
ステップＳ６において、ガイド指示部３７は、割り付けに必要な採寸指示箇所を全て採寸したか否かを判断し、採寸していなければ次の採寸指示箇所を記憶部３５から呼び出し、採寸指示箇所と画像をヘッドセット２０に送信しステップＳ１に戻る。そして、全ての採寸指示箇所を採寸していればステップＳ７に進む。
【００３６】
ステップＳ７において、携帯端末３０の主制御部３６が、記憶部３５に記憶した全ての採寸値を採寸指示箇所に対応させてサーバ４０に送信する。サーバ４０は、この採寸値に基づいて建物の壁面の外壁材の割り付けを行う。
【００３７】
（５）効果
本実施形態の採寸支援装置１０によれば、音声と画像の指示によって採寸作業者は、採寸を行い、その採寸値を音声入力するだけでよいため、最小の採寸作業者で作業を行え、また、採寸作業も簡単にできる。
【実施形態２】
【００３８】
次に、実施形態２の採寸支援装置１０について説明する。
【００３９】
実施形態１では、ヘッドセット２０にＨＭＤ２３を取り付けていたが、本実施形態では、ヘッドセット２０にはマイク２１、イヤホン２２はあるが、ＨＭＤ２３はなく、代わりに、携帯端末３０の画面に建物の画像が表示される。この場合に、携帯端末３０は、画面サイズが３インチ〜５インチのスマートフォンだけでなく、画面サイズが６インチ以上のタブレット端末を用いると携帯端末３０のディスプレイ３３を見ながら作業を行うので、画面が大きく設計図面が見やすく操作性もよくなる。
【００４０】
採寸作業者は、携帯端末３０を首から下げるなどして、携帯端末３０のディスプレイ３３を見ながら採寸作業を行い、マイク２１から採寸値音声入力する。
【実施形態３】
【００４１】
次に、実施形態３の採寸支援装置１０について図６に基づいて説明する。
【００４２】
本実施形態は、実施形態２の変更例である。採寸作業は、設計図に表示された採寸支持箇所だけでは足らない場合がある。設計図には表れないが、例えばドア２の上にある屋根３の付け根の部分については、より寸法を詳細に計測する必要がある。しかし、このような細かい部分については、上記したように設計図には表されていないため、本実施形態の採寸支援アプリケーションでは、この詳細な部分を採寸できるモードである「詳細採寸モード」を有している。
【００４３】
第１に、詳細な部分を採寸する場合には、採寸作業者が携帯端末３０のディスプレイ３３に表示された採寸支援アプリケーションのメニューモードにおいて、「詳細採寸モード」を選択する。
【００４４】
第２に、携帯端末３０の主制御部３６が、ディスプレイ３３の画面を図６に示すような入力画面に切り換えて詳細採寸モードを開始する。図６に示すように入力画面には、垂直計測基準線Ｖ１と水平計測基準線Ｈ１とが表示されている。
【００４５】
第３に、採寸作業者は、採寸したい部分の外形線Ｒを入力用ペン又は指を用いて手書きで入力画面に図６に示すように入力する。
【００４６】
第４に、採寸作業者は、外形線Ｒ上にある計測しなければならない位置（採寸指示箇所である入力点Ｐ１〜Ｐ２）を入力用ペン又は指で順番にタッチする。すると画面には、図６に示すように例えば、Ｐ１〜Ｐ７が表示される。
【００４７】
第５に、採寸作業者は、位置の基準となる入力点Ｐ１と垂直計測基準線Ｖ１との法線距離（最短距離）Ｓ１１、入力点Ｐ１と水平計測基準線Ｈ１との法線距離（最短距離）Ｓ１２を採寸する。
【００４８】
第６に、採寸作業者は、位置の基準となる入力点Ｐ１と入力点Ｐ２との距離ａ、入力点Ｐ２と入力点Ｐ３との距離ｂ、入力点Ｐ３と入力点Ｐ４との距離ｃ、入力点Ｐ４と入力点Ｐ５との距離ｄ、入力点Ｐ５と入力点Ｐ６までの距離ｅ、入力点Ｐ４と入力点Ｐ５との距離ｄ、入力点Ｐ５と入力点Ｐ６までの距離ｆをそれぞれ採寸し、音声入力する。音声入力するときは、例えば、「Ｐ４とＰ５との距離は５ｃｍである。」と発声する。
【００４９】
第７に、携帯端末３０の主制御部３６は、垂直計測基準線Ｖ１、水平計測基準線Ｈ１、入力された外形線Ｒ、入力点Ｐ１〜Ｐ７を記憶すると共に、音声入力された採寸値Ｓ１１，Ｓ１２，採寸値ａ〜ｆを記憶する。
【００５０】
これにより、採寸作業者は、設計図に表示できないような詳細部分も採寸して携帯端末３０に記憶させることができる。割り付けを行う作業者は、その画像と採寸値を携帯端末３０から呼び出すことにより、容易に詳細な部分の採寸値を見ることができる。
【変更例】
【００５１】
上記実施形態では、計測を行うために、採寸作業者は巻尺を用いたが、これに代えてレーザ距離計を用いてもよい。
【００５２】
上記実施形態では、ヘッドセット２０にＨＭＤ２３を設け、採寸指示を画像で補助したが、これに代えて採寸作業者が採寸指示箇所を記載した設計図面を持ち、その採寸指示箇所を見ながら、イヤホン２２からの音声指示によって順番に採寸を行ってもよい。
【００５３】
また、ヘッドセット２０のイヤホン２２から採寸指示箇所に対応した音声説明データを出力するのでなく、画像表示されている「矢印Ｓ１」と音声指示したり、採寸作業者が設計図面を持っている場合には、設計図面上の「矢印Ｓ１」と音声指示してもよい。
【００５４】
また、ヘッドセット２０にカメラが備えられている場合には、サーバ４０がある会社において、指示者がそのカメラで映し出された建設現場の建物と、会社にある設計図面とを比較しながら、採寸作業者に採寸指示箇所を直接指示してもよい。この場合には、建設現場に向かうのは採寸作業者のみであり、指示者は会社に残っているため、人件費を削減できる。なお、この指示作業員からの採寸指示は、インターネット回線を用いればリアルタイムに採寸作業者に送ることができる。
【００５５】
上記では本発明の一実施形態を説明したが、この実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００５６】
１・・・建物、１０・・・採寸支援装置、２０・・・ヘッドセット、３０・・・携帯端末、４０・・・サーバ
【図１】
2015035013.tif 000003
【図２】
2015035013.tif 000004
【図３】
2015035013.tif 000005
【図４】
2015035013.tif 000006
【図５】
2015035013.tif 000007
【図６】
2015035013.tif 000008